【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
第１の通信局と第２の通信局との間での空間多重を採用した無線通信を行う空間多重通信方法であって、
第１の通信局の複数のアンテナ素子から順次１本ずつ時分割で既知信号を送信するステップと、
第２の通信局が前記既知信号を受信し、前記第１の通信局の各アンテナ素子からの信号について伝達関数を求めるステップと、
前記第２の通信局が自己の求めた前記伝達関数を前記第１の通信局に送信するステップと、
前記第１の通信局が、前記第２の通信局から受信した伝達関数に基づいて、前記複数のアンテナ素子の重みを計算するステップと、
当該計算されたアンテナ重みを利用して、前記第１の通信局が前記第２の通信局との間で空間多重通信を行うステップと、
を備えたことを特徴とする空間多重通信方法。
【請求項２】
前記第２の通信局は複数のアンテナ素子の集合からなり、
前記第２の通信局が求めた伝達関数に基づいて、前記第２の通信局の複数のアンテナ素子から空間多重通信を行うアンテナ素子を選択するステップをさらに備える、
ことを特徴とする請求項１記載の空間多重通信方法。
【請求項３】
前記第１の通信局から送信する通信フレームは、前記第１の通信局からフレーム同期信号を送信する第１の領域と、前記第１の通信局から順次異なるアンテナから送信される既知信号に応じて前記第２の通信局がアンテナ毎に伝達関数を求める第２の領域と、前記第２の通信局が自己の求めた伝達関数を前記第１の通信局へ転送する第３の領域を含む、
ことを特徴とする請求項１記載の空間多重通信方法。
【請求項４】
前記通信フレームは、前記第１の通信局が転送された伝達関数から計算されたアンテナ重みに基づいて前記第２の通信局に対して送信許可を指定する第４の領域と、当該計算されたアンテナ重みを利用して前記第１の通信局が前記第２の通信局との間で空間多重通信を行う第５の領域をさらに備える、
ことを特徴とする請求項３記載の空間多重通信方法。
【請求項５】
第１の通信局と第２の通信局との間での無線通信に空間多重を採用した無線通信システムであって、
前記第１の通信局は、
複数のアンテナ素子と、
前記複数のアンテナ素子の受信信号を重み付け処理する重み付け処理手段と、
予め定められた既知信号を前記複数のアンテナ素子から順次１本ずつ時分割で送信する手段と、
前記第２の通信局から受信した伝達関数に基づいて前記複数のアンテナ素子の重みを算出し、当該算出された重みに基づいて前記第２の通信局に対して送信許可を指定する手段とを備え、
前記第２の通信局は、
アンテナと、
前記アンテナにより前記第１の通信局からの既知信号を受信し、前記第１の通信局の各アンテナ素子からの信号について伝達関数を求める手段と、
自己の求めた伝達関数を前記アンテナから前記第１の通信局に送信する手段と、
前記第１の通信局から送信許可を指定されたとき、前記アンテナを介して第１の通信局との間で通信を行う手段とを備えた、
ことを特徴とする無線通信システム。
【請求項６】
空間多重を採用した無線通信システムにおける通信局であって、
複数のアンテナ素子と、
前記複数のアンテナ素子の受信信号を重み付け処理する重み付け処理手段と、
予め定められた既知信号を前記複数のアンテナ素子から順次１本ずつ時分割で送信する手段と、
他の通信局から受信した伝達関数に基づいて前記複数のアンテナ素子の重みを算出し、当該算出された重みに基づいて前記第２の通信局に対して送信許可を指定する手段と、
当該算出されたアンテナ重みを利用して、前記他の通信局との間で空間多重通信を行う手段と
を備えたことを特徴とする通信局。
【請求項７】
前記他の通信局は複数のアンテナ素子の集合からなり、
前記他の通信局が求めた伝達関数に基づいて、前記他の通信局の複数のアンテナ素子から空間多重通信を行うアンテナ素子を選択するステップをさらに備える、
ことを特徴とする請求項６記載の通信局。
【請求項８】
送信する通信フレームは、フレーム同期信号を送信する第１の領域と、順次異なるアンテナから送信される既知信号に応じて前記他の通信局がアンテナ毎に伝達関数を求める第２の領域と、前記他の通信局が自己の求めた伝達関数を当該通信局へ転送する第３の領域を含む、
ことを特徴とする請求項６記載の通信局。
【請求項９】
前記通信フレームは、転送された伝達関数から計算されたアンテナ重みに基づいて前記他の通信局に対して送信許可を指定する第４の領域と、当該計算されたアンテナ重みを利用して前記第他の通信局と空間多重通信を行う第５の領域をさらに備える、
ことを特徴とする請求項８記載の通信局。
【請求項１０】
前記重み付け信号処理手段は、前記複数の送受信アンテナの受信信号に重み付けした信号を加算する重み処理部を、空間多重通信を行うアンテナ素子の個数だけ有する、
ことを特徴とする請求項６記載の通信局。
【請求項１１】
空間多重を採用した無線通信システムにおける通信局であって、
アンテナと、
前記アンテナにより前記他の通信局からの既知信号を受信し、前記他の通信局の各アンテナ素子からの信号について伝達関数を求める手段と、
自己の求めた伝達関数を前記アンテナから前記他の通信局に送信する手段と、
前記他の通信局から送信許可を指定されたとき、前記アンテナを介して前記他の通信局との間で通信を行う手段と、
を備えたことを特徴とする通信局。
【請求項１２】
空間分割多重アクセス制御方法であって、
基地局の複数のアンテナ素子から順次１本ずつ時分割で既知信号を送信するステップと、
複数の移動局が同時に前記既知信号を受信し、前記基地局の各アンテナ素子からの信号について伝達関数を求めるステップと、
各移動局が自己の求めた前記伝達関数を前記基地局に送信するステップと、
前記複数の移動局から受信した伝達関数に基づいて空間分割多重可能な移動局を選択し、当該移動局にその旨を通知するステップと、
当該選択された移動局にアップリンク信号の送信を行わせるステップと、
当該選択された移動局に対してダウンリンク信号を送信するステップと
を備えたことを特徴とする空間分割多重アクセス制御方法。
【請求項１３】
基地局と複数の移動局との間での無線通信に空間分割多重アクセス制御を採用した無線通信システムにおける基地局であって、
複数のアンテナ素子と、
前記複数のアンテナ素子の受信信号を重み付け処理する受信重み付け処理手段と、
予め定められた既知信号を前記複数のアンテナ素子から順次１本ずつ時分割で送信する手段と、
前記複数の移動局から受信した伝達関数に基づいて特定の移動局の組み合わせについて移動局毎に前記複数のアンテナ素子用の重みを算出し、この重みに基づいて空間分割多重可能な移動局の組み合わせを決定し、当該移動局に対してアップリンク信号の送信及びダウンリンク信号の受信を許可する手段と、
前記受信重み付け処理部において前記選択された各移動局との通信時に前記算出された重みに従って重み付け状態を設定する手段と、
を備えたことを特徴とする基地局。
【請求項１４】
基地局と複数の移動局との間での無線通信に空間分割多重アクセス制御を採用した無線通信システムにおける移動局であって、
アンテナと、
前記アンテナにより前記基地局からの既知信号を受信し、前記基地局の各アンテナ素子からの信号について伝達関数を求める手段と、
各移動局が自己の求めた前記伝達関数を前記アンテナから前記基地局に送信する手段と、
前記基地局から許可されたとき、前記アンテナを介して前記基地局へのアップリンク信号の送信及びダウンリンク信号の受信を行う手段と、
を備えたことを特徴とする移動局。